(57)【要約】【課題】  流木などの浮遊物が橋脚に滞留する前に処理して増水に伴う決壊や越流などの災害をなくすようにした河川異常増水防止装置を提供すること。【解決手段】  橋が架けられた河川の上流側に流木や家屋などの浮遊物を捕捉し河岸方向に誘導する循環条材を河川横断方向に対し斜めに張架して設け該誘導される端部に浮遊物を回収するピットを備えてピット内の浮遊物を除去手段で除去し得るように構成した。【選択図】  図１
2006097464.tif 000002
【特許請求の範囲】
【請求項１】
橋が架けられた河川の上流側に流木や家屋などの浮遊物を捕捉し河岸方向に誘導する循環条材を河川横断方向に対し斜めに張架して設け該誘導される端部に浮遊物を回収するピットを備えてピット内の浮遊物を除去手段で除去し得るように構成した河川異常増水防止装置。
【請求項２】
請求項１記載のものにおいて、循環条材には、捕捉材が付設されている河川異常増水防止装置。
【発明の詳細な説明】
【技術分野】
【０００１】  本発明は、河川異常増水防止装置に関する。
【背景技術】
【０００２】  河川は、市街地間を連絡する橋を備える場合が多いが、この橋の橋脚には増水時の流木が引っ掛かって滞留することで流れを次第に阻害する原因になり、そのため、その上流側では決壊や越流現象が起き易い。
【発明の開示】
【発明が解決しようとする課題】
【０００３】  ところで、これまでは、その具体的対策が何らなされておらず、堤防の増強などで対処していたため、一向に決壊や越流現象が解決しないままである。
上記に鑑み、本発明は、流木などの浮遊物が橋脚に滞留する前に処理して増水に伴う決壊や越流などの災害をなくすようにした河川異常増水防止装置を提供することを目的とする。
【課題を解決するための手段】
【０００４】  上記課題を解決するため、請求項１記載の発明は、橋が架けられた河川の上流側に流木や家屋などの浮遊物を捕捉し河岸方向に誘導する循環条材を河川横断方向に対し斜めに張架して設け該誘導される端部に浮遊物を回収するピットを備えてピット内の浮遊物を除去手段で除去し得るように構成した。
請求項２記載の発明は、請求項１記載のものにおいて、循環条材には、捕捉材が付設されている。
【発明の効果】
【０００５】  本発明によれば、流木などの浮遊物が橋脚に滞留する前に処理して増水に伴う決壊や越流などの災害をなくすようにした河川異常増水防止装置を提供することができる。
【発明を実施するための最良の形態・実施例】
【０００６】  図１および図２は、河川異常増水に伴う決壊や越流などによる市街地への洪水被害をなくすためになされた実施形態を示す。図１において５２５は河川を模式的に示すもので、同河川５２５は、市街地間を連絡する橋５２６を備える場合が多いが、この橋５２６の橋脚には増水時の流木が引っ掛かって滞留することで流れを次第に阻害する原因になり、そのため、その上流側では決壊や越流現象が起き易い。
【０００７】  この実施形態はこうした現象をなくすためになされたもので、橋５２６よりもさらに上流側のやや幅が広く流れの緩やかな個所を対象にして流木や家屋などの浮遊物５２７を捕捉して脇方へ確実に誘導・回収除去するための装置を設置したものである。
５２９は循環条材で、ワイヤ等のロープやチェーン（リンクチェーンを含む）などでなる。５３０は回転ホイールで、シーブやスプロケットなどでなる。
回転ホイール５３０の一方は河川５２５の上流側左岸に水平軸回りに回転自在に配置され、他方の回転ホイール５３０はそれより少し下流寄りに配置されている。これらに掛け回されて循環条材５２９が設けられている。この循環条材５２９は、図１のように右下がり（あるいは左下がり）状に掛けられている。そして、右回転ホイール５３０の下方を含む右岸には回収ピット５３１が設けられている。
【０００８】  図２のｈは平常時の平均水位、Ｈは増水時の想定水位をそれぞれ示すものであるが、左回転ホイール５３０はＨ程度の高さで、右回転ホイール５３０はＨよりも高く設定されている。循環条材５２９の外周には、ロープ、チェーン、リンクチェーンなどによる捕捉材５３２が円弧状をなすように垂れ下げられ、特に重なり合う状態で確実に捕捉することができるようになっている。そして、異常増水時には、図１のように流れてくる浮遊物５２７…をこれら捕捉材５３２…が捕捉するとともに、循環条材５２９が斜め張りにされているのでその負荷により図２の実線矢印のように自動的に回されてピット５３１まで誘導する。誘導された浮遊物５２７…はピット５３１内から河岸上のバケットクレーンなどで除去される。隣合う垂下材５３６同士はロープやチェーンで連結しておくこともある。
尚、回転ホイール５３０は強制駆動されることもある。また、図２の矢印のように、回転ホイール５３０の高さを調節可能にしてより確実な捕捉ができるようにしてもよい。捕捉材５３２には、突起物を設けることがある（このことは他の実施形態でも同様に適用することがある）。
【０００９】  図３は他の実施形態を示す。同実施形態は、捕捉材５３４が下端にウエイト５３５を備えたロープやチェーンなどの垂下材５３６と一対の垂下材５３６間に渡された複数本の横架材５３７…とでなる複数組を循環条材５３８回りにぶら下げて構成されている。尚、ピット５３９の先端は図示のように浮遊物を持ち込みやすいように湾曲断面になっている。
【００１０】  図４はピット５４２を河川５４３の河岸自体に凹設したものである。５４４は流出帽子板である。図５は同じくピット５４７を河岸を後施工して凹設したものであるが、循環条材５４８を特に斜め傾斜させて捕捉したものが流れ込みやすいようにしたものである。
【００１１】  図６は循環条材５５１の回りに垂下材５５２を介して釣り針状の捕捉片５５３…を取り付けたものである。捕捉片５５３はそれぞれに高さを異ならせてある。
【００１２】  図７および図８は、河川の流れ方向に直交するように前後一対の回転軸５５６を設けてその上流側が異常増水時の下側に下流側が上側にくるように設定し、これら回転軸５５６の各両端に回転ホイール５５７…を備え付けてこれらにより循環運動自在に循環条材５５８を備えてその間に粗メッシュなどの捕捉材５５９を横架して浮遊物を図８のように掬い上げるように構成したものである。循環条材５５８は強制回転駆動自在としてもよい。また、同装置の下流側には掬い上げたものが持ち込まれる回収ピット５６０を備えたり、河岸からクレーンで除去可能に構成することができる。
【００１３】  図９及び１０は、回転ホイール５６３が縦軸であり、その一対回りに循環条材を兼ねる捕捉材５６４を遊転あるいは駆動自在としたもので、捕捉・回収したものは除去機５６５によりピット５６６から排除できるようにしたものである。
【００１４】  図１１および図１２は、捕捉材が循環自在なものでなく固定式でその前面に添って浮遊物が滑って回収除去されるようにしたものである。すなわち、５６８は固定軸で、左右２点にあり、これらの間には４５度前後の大きい傾斜をなして捕捉誘導材５６９が上下数段をなすように張設されている。誘導材５６９は滑り易い表面をもつものが適当である。これら誘導材５６９を高さＨを境に上下に複数渡してピット５７０まで浮遊物を導くようにしたものである。捕捉したものは除塵機５７１やバケットクレーンのような除去機５７２などで取り除くことができる。
【００１５】  尚、川底には、流れてくる土砂類を捕捉して流れる力に任せて斜め下流側方へと導く土砂誘導突堤５７３を設置してもよい。５７４は土砂止めである。また、固定軸５６８には回転ホイール５７５を一対装備してそのまわりに循環条材５７６を掛け回すとともに同循環条材５７６に鯉のぼりの鯉５７７や広告類を取り付けて循環させるようにしてもよい。さらに、図１１に仮想線で示すように、前記捕捉誘導材５６９の前段階に予捕捉誘導材５７８を配置して、予捕捉誘導材５７８で大きな浮遊物を捕捉し捕捉誘導材５６９で細かい浮遊物を捕捉するようにしてもよい（このことは他の実施形態でも同様に適用することがある）。
【００１６】  図１３は、石油タンク５８０を津波の襲来から防護するためになされたもので、タンク５８０の津波襲来想定側に多数本の杭５８１と弛ませた防護索条材５８２を構成するとともに、タンク５８０回りに同じく杭５８１と弛ませた防護索条材５８２を囲うように構成して前後２段階の防護を図ったものである。
【００１７】  図１４および図１５は、河川５１５において、洪水で増水した際にキャンプ地や河川脇から人が流されてくるのを救助することができるようにした実施形態を示す。
同実施形態において５１６はヒンジ筒で、これらのヒンジ筒５１６は、河川脇の平面的に４個所に配置されている。その対向する一対間ごとに受けバー５１７が前後をなすように横架されるとともに、各受バー５１７からは前向きに伸びるようにして防護材５１８を張り出してある。左右の防護材５１８は前後に同じ位置関係に設けると河川水が溢れるおそれがあるので、前後に多少ずらせて配置してある。同防護材５１８の前端には、ウエイトバー５１９を備えてあるとともに、同バー５１９に対する牽きロープ５２０および牽きバー５２１が設けられて牽きバー５２１については河川上に設置のガイドレール５２２に添って進退自在になっている。
【００１８】  通常は、牽きバー５２１をガイドレール５２２に添って図１５の左方向に引っ張って防護材５１８を水面より上側に高く待機させた状態にしてある。増水時に必要に応じて牽きバー５２１が図１５の矢印方向に移動調節されることで、ウエイトバー５１９の重さにより防護材５１８が図示のように河川内で斜め張り状態になり、これにより、人などが流されてきても掬われて助かるものである。この場合、掬われた人は、牽きバー５２１をガイドレール５２２に添って図１５の左方向に駆動・操作することで防護材５１８を持ち上げて更に救助を確実化することもできる。尚、この方式を流木などの掬い揚げのために利用することはある。
【図面の簡単な説明】
【００１９】
【図１】河川の決壊などを防護するための例を示す斜視図。
【図２】図１の拡大正面図。
【図３】他の実施形態を示す正面図。
【図４】他の実施形態を示す平面図。
【図５】他の実施形態を示す平面図。
【図６】他の実施形態を示す正面図。
【図７】他の実施形態を示す平面図。
【図８】図７の側面図。
【図９】他の実施形態を示す平面図。
【図１０】図９の正面図。
【図１１】他の実施形態を示す平面図。
【図１２】図１１のＮ−Ｎ線断面図。
【図１３】石油タンクを津波襲来から護るための実施形態を示す斜視図。
【図１４】河川での救助方式を示す平面図。
【図１５】図１４の縦断面図。
【符号の説明】
【００２０】  ５２９、５３８、５４８，５５１，５５８…循環条材  ５３２、５３４、５５３…捕捉材  ５３０、５４２…ピット。
【図１】
2006097464.tif 000003
【図２】
2006097464.tif 000004
【図３】
2006097464.tif 000005
【図４】
2006097464.tif 000006
【図５】
2006097464.tif 000007
【図６】
2006097464.tif 000008
【図７】
2006097464.tif 000009
【図８】
2006097464.tif 000010
【図９】
2006097464.tif 000011
【図１０】
2006097464.tif 000012
【図１１】
2006097464.tif 000013
【図１２】
2006097464.tif 000014
【図１３】
2006097464.tif 000015
【図１４】
2006097464.tif 000016
【図１５】
2006097464.tif 000017